(57)【要約】【課題】綿のタオル生地に染料、顔料などを用いた両面へのプリントにおいて、染料の染み込みの影響のないタオル生地を有する両面プリントタオルを提供する。【解決手段】両面プリントタオル１０は、第１の面１１と第２の面１２を有し、第１の面１１にプリントが施され、且つ、第２の面１２にプリントが施されている。第１の面１１はシャーリングで形成されており、第２の面１２はパイルで形成されている。両面プリントタオル１０は、生地の目付が、予め定められた範囲、例えば、２００ｇ／ｍ２から８００ｇ／ｍ２の範囲で編み立てされている。両面プリントタオル１０は、生地の目付が予め定められた範囲に設定されることにより、第１の面１１にプリントされた第１のデザイン１１ａ及び第２の面１２にプリントされた第２のデザイン１２ａは、それぞれから透き通らず見えないようにすることができる。【選択図】図１
0003219857.tif 000002
【実用新案登録請求の範囲】
【請求項１】
第１の面と第２の面を有し、前記第１の面にプリントが施され、且つ、前記第２の面にプリントが施された両面プリントタオルであって、
前記第１の面は、シャーリングで形成されており、前記第２の面は、パイルで形成されており、
生地の目付が、予め定められた範囲で編み立てされていることを特徴とする両面プリントタオル。
【請求項２】
前記生地の目付の予め定められた範囲は、２００ｇ／ｍ２から８００ｇ／ｍ２の範囲であることを特徴とする請求項１に記載の両面プリントタオル。
【請求項３】
前記第１の面のプリントと前記第２の面のプリントは、染料を用いたプリントであることを特徴とする請求項１または請求項２に記載の両面プリントタオル。
【請求項４】
前記第１の面のプリントは、前記染料を用いたプリントであり、前記第２の面のプリントは、顔料を用いたプリントであり、または、前記第１の面のプリントは、前記顔料を用いたプリントであり、前記第２の面のプリントは、前記染料を用いたプリントであることを特徴とする請求項１または請求項２に記載の両面プリントタオル。
【請求項５】
前記第１の面のプリントは、前記染料を用いたプリントであり、前記第２の面のプリントは、インクジェットを用いたプリントであり、または、前記第１の面のプリントは、前記インジェットを用いたプリントであり、前記第２の面のプリントは、前記染料を用いたプリントであることを特徴とする請求項１または請求項２に記載の両面プリントタオル。
【請求項６】
ハンドタオル、マフラータオル、フェイスタオル、スポーツタオルまたはバスタオルであることを特徴とする請求項１から請求項５に記載の両面プリントタオル。
【請求項７】
前記シャーリングの形状と前記染料を用いたプリントのためのプリント圧力は、前記生地の目付の予め定められた範囲に対応して調整されることを特徴とする請求項１から請求項６に記載の両面プリントタオル。
【考案の詳細な説明】
【技術分野】
【０００１】
本考案は、両面プリントタオルに関する。
【背景技術】
【０００２】
タオルは、吸水性や肌触りに特化するため、その多くは表面にループ状の細かい糸が飛び出している布地であり、基となっている布地は粗く通気性に富むものが一般的である。用途としては、主に濡れたものを拭くために使われており、濡らして汚れをふき取るためや肌触りが良いことから人の体を拭くために利用されており、用途により様々な製品が流通している。また、パイル糸及び地糸を容易に着色することができ、捺染型を可及的に少なくすることができる多重プリントタオルの製造方法が開示されている。
【先行技術文献】
【特許文献】
【０００３】
【特許文献１】特開平１０−０２５６６９号公報
【考案の概要】
【考案が解決しようとする課題】
【０００４】
従来、上記のタオルの表面にプリントするときは、染料、顔料などのプリント用の素材を用いて片面にプリントすることが一般的であった。また、タオルの両面にプリントすることは、技術的、コスト的などにより困難であり、タオルの両面プリントの実現性が求められていた。
【０００５】
本考案は、こうした点に鑑みてなされたものであり、綿のタオル生地に染料、顔料などを用いた両面へのプリントにおいて、染料の染み込みの影響のないタオル生地を有する両面プリントタオルを提供することである。
【課題を解決するための手段】
【０００６】
上記課題を解決するために、本考案に係る両面プリントタオルは、第１の面と第２の面を有し、前記第１の面にプリントが施され、且つ、前記第２の面にプリントが施された両面プリントタオルであって、前記第１の面は、シャーリングで形成されており、前記第２の面は、パイルで形成されており、生地の目付が、予め定められた範囲で編み立てされていることを特徴とする。
【０００７】
本考案に係る両面プリントタオルの態様について、前記生地の目付の予め定められた範囲は、２００ｇ／ｍ２から８００ｇ／ｍ２の範囲であることを特徴とすることが好ましい。
【０００８】
本考案に係る両面プリントタオルの態様について、前記第１の面のプリントと前記第２の面のプリントは、染料を用いたプリントであることが好ましい。
【０００９】
本考案に係る両面プリントタオルの態様について、前記第１の面のプリントは、前記染料を用いたプリントであり、前記第２の面のプリントは、顔料を用いたプリントであり、または、前記第１の面のプリントは、前記顔料を用いたプリントであり、前記第２の面のプリントは、前記染料を用いたプリントであることが好ましい。
【００１０】
本考案に係る両面プリントタオルの態様について、前記第１の面のプリントは、前記染料を用いたプリントであり、前記第２の面のプリントは、インクジェットを用いたプリントであり、または、前記第１の面のプリントは、前記インジェットを用いたプリントであり、前記第２の面のプリントは、前記染料を用いたプリントであることが好ましい。
【００１１】
本考案に係る両面プリントタオルの態様について、ハンドタオル、マフラータオル、フェイスタオル、スポーツタオルまたはバスタオルであることが好ましい。
【００１２】
本考案に係る両面プリントタオルの態様について、前記シャーリングの形状と前記染料を用いたプリントのためのプリント圧力は、前記生地の目付の予め定められた範囲に対応して調整されることが好ましい。
【考案の効果】
【００１３】
本考案によれば、綿のタオル生地に染料、顔料などを用いた両面へのプリントにおいて、染料の染み込みの影響のないタオル生地を有する両面プリントタオルを提供することができる。
【図面の簡単な説明】
【００１４】
【図１】実施形態の両面プリントタオルの一例を示す模式図である。
【考案を実施するための形態】
【００１５】
以下、本考案の両面プリントタオルについて図１を用いて説明する。図１（ａ）は、実施形態の両面プリントタオル１０の第１の面１１に第１のデザイン１１ａがプリントされている一例を示す参考図である。図１（ｂ）は、実施形態の両面プリントタオル１０の第２の面１２に第１のデザイン１１ａと異なる第２のデザイン１２ａがプリントされている一例を示す参考図である。
【００１６】
本考案の実施形態である両面プリントタオル１０に使用する染料は、例えば、糊や浸透剤を入れた染料を生地にプリントしたものであり、タオルの吸収性や柔軟性が保たれ、発色、色の耐久性がよいものである。染料を用いたタオルを染料でプリントすると、上記のとおり生地への吸収性から表面にプリントした場合に、裏面に透けて見えやすいということがあり、本考案は、このようなことのないように開発されたものである。なお。染料プリント、顔料プリント及びインクジェットプリントについては、周知の技術でありここでは詳細な説明は省略する。
【００１７】
本考案の実施形態の両面プリントタオル１０は、第１の面１１と第２の面１２を有し、第１の面１１にプリントが施され、且つ、第２の面１２にプリントが施されている。第１の面１１は、例えば、シャーリングで形成されており、第２の面１２は、例えば、パイルで形成されている。
【００１８】
両面プリントタオル１０は、特徴として生地の目付が、予め定められた範囲で編み立てされている。生地の目付とは、１平方メートル当たりの質量でありｇ／ｍ２で表されている。
【００１９】
上記の生地の目付の予め定められた範囲は、この例において、２００ｇ／ｍ２から８００ｇ／ｍ２の範囲であることが望ましいが、これに限定されず、適宜最適な範囲、例えば、３５０ｇ／ｍ２から８００ｇ／ｍ２の範囲、２００ｇ／ｍ２から５００ｇ／ｍ２の範囲または３５０ｇ／ｍ２から５００ｇ／ｍ２の範囲を設定するとよい。
【００２０】
このように両面プリントタオル１０の生地の目付を、上記のように予め定められた範囲に設定することにより、第１の面１１には、第２の面１２にプリントされた第２のデザイン１２ａが透き通らず見えないようにすることができ、また、同様に第２の面１２には、第１の面１１にプリントされた第１のデザイン１１ａが透き通らず見えないようにすることができる。
【００２１】
また、両面プリントタオル１０の生地の目付が、予め定められた範囲に設定され、第１の面１１のプリントと第２の面１２のプリントが、染料、顔料などを用いて組み合わされた場合においても、第１の面１１及び第２の面１２のそれぞれにプリントされたデザインが透き通らず見えないようにすることができる。
【００２２】
すなわち、第１の面１１のプリントと第２の面１２のプリントのそれぞれが染料を用いたプリントである場合、第１の面１１のプリントが染料を用いたプリントであり第２の面１２のプリントが顔料を用いたプリントである場合、第１の面１１のプリントが顔料を用いたプリントであり第２の面１２のプリントは染料を用いたプリントである場合、第１の面１１のプリントが染料を用いたプリントであり第２の面１２のプリントがインクジェットを用いたプリントである場合、または、第１の面１１のプリントは、インクジェットを用いたプリントであり第２の面のプリントは、染料を用いたプリントである場合などである。
【００２３】
上記の両面プリントタオル１０は、ハンドタオル、マフラータオル、フェイスタオル、スポーツタオル、バスタオルなどであってもよく、縦と横のサイズに限定されないものであってもよく、また、第１の面１１の第１のデザイン１１ａと第２の面１２の第２のデザイン１２ａにおいて別柄または同柄を問わないものであってもよい。
【００２４】
両面プリントタオル１０は、シャーリングの形状、つまりシャーリングの糸の長さ、及び染料などを用いたプリントのためのプリント圧力、つまりプリントの色によるプリント圧力が、上記の生地の目付の予め定められた範囲に対応して調整されることが望ましい。
【００２５】
本考案のる両面プリントタオル１０は、上記のとおり、生地の目付を予め定められた範囲、具体的な一例として２００ｇ／ｍ２から８００ｇ／ｍ２の範囲で編み立てられることにより、図１に示すとおり第１の面１１及び第２の面１２のそれぞれに染料を用いたプリントを施した場合においても、それぞれの面からプリントされたデザインが、透き通らず見えることがないという顕著な効果を有している。
【００２６】
以上、本考案の有する特徴及び優れた点を上記実施形態に記載したが、本考案は、本願の実用新案請求の範囲で使用されている言葉を広く一般的な意味に拡張して実施することができる。
【００２７】
また、本考案の両面プリントタオルは、大きさ、形状、素材の種類、厚さ、重さなどについては多様な実施形態が可能であり、それらについて本実施形態と異なる形態による実施は、本考案の技術的範囲に含まれる。
【符号の説明】
【００２８】
１０      両面プリントタオル
１１      第１の面
１１ａ    第１のデザイン
１２      第２の面
１２ａ    第２のデザイン
【図１】
0003219857.tif 000003
【手続補正書】
【提出日】平成30年11月17日(2018.11.17)
【手続補正１】
【補正対象書類名】実用新案登録請求の範囲
【補正対象項目名】全文
【補正方法】変更
【補正の内容】
【実用新案登録請求の範囲】
【請求項１】
第１の面と第２の面を有し、前記第１の面にプリントが施され、且つ、前記第２の面にプリントが施された両面プリントタオルであって、
前記第１の面は、シャーリングで形成されており、前記第２の面は、パイルで形成されており、
生地の目付が、予め定められた範囲で編み立てされていることを特徴とする両面プリントタオル。
【請求項２】
前記生地の目付の予め定められた範囲は、２００ｇ／ｍ２から８００ｇ／ｍ２の範囲であることを特徴とする請求項１に記載の両面プリントタオル。
【請求項３】
前記第１の面のプリントと前記第２の面のプリントは、染料を用いたプリントであることを特徴とする請求項１または請求項２に記載の両面プリントタオル。
【請求項４】
前記第１の面のプリントは、染料を用いたプリントであり、前記第２の面のプリントは、顔料を用いたプリントであり、または、前記第１の面のプリントは、前記顔料を用いたプリントであり、前記第２の面のプリントは、前記染料を用いたプリントであることを特徴とする請求項１または請求項２に記載の両面プリントタオル。
【請求項５】
前記第１の面のプリントは、染料を用いたプリントであり、前記第２の面のプリントは、インクジェットを用いたプリントであり、または、前記第１の面のプリントは、前記インクジェットを用いたプリントであり、前記第２の面のプリントは、前記染料を用いたプリントであることを特徴とする請求項１または請求項２に記載の両面プリントタオル。
【請求項６】
ハンドタオル、マフラータオル、フェイスタオル、スポーツタオルまたはバスタオルであることを特徴とする請求項１から請求項５のいずれかに記載の両面プリントタオル。
【請求項７】
前記シャーリングの形状と前記染料を用いたプリントのためのプリント圧力は、前記生地の目付の予め定められた範囲に対応して調整されることを特徴とする請求項３から請求項５のいずれかに記載の両面プリントタオル。